(57)【要約】      （修正有）【課題】大引き材の上に直接載置する床暖房用無垢床材支持パネルにおいて、比較的安価であり、断熱性能に優れるものでありながら、材料伸縮による反りの発生や層間分離の発生を抑制しうるものを提供する。【解決手段】木質床材Ｆを裏側から加温可能に支持しうる床暖房用無垢床材支持パネルであって、隣接する他板に対するホゾ連結構造が形成された蓋板と、蓋板の下部にて所定間隔を空けて固定された複数本の支持角棒と、前記複数本の支持角棒の所定間隔内に填塞して固定された填塞板と、支持角棒及び填塞板の下部を纏めて覆う底板とが連結構成される。蓋板は、それぞれの両側部にホゾ連結構造１０ｔ、１０ｍを有した複数枚の蓋構成材１０同士がホゾ連結される。底板は、複数の底構成材４０同士が突合せられる。【選択図】図１
0003145645.tif 000002
【実用新案登録請求の範囲】
【請求項１】
床下を走る複数の大引材Ｏに跨乗して複数枚が敷設され、上部に木質床材Ｆを加温するための加温管Ｔが埋め込まれてその上に木質床材Ｆが敷設されることで、木質床材Ｆを裏側から加温可能に支持しうる床暖房用無垢床材支持パネルであって、
加温管Ｔを埋め込みうる所定パターンの管溝１ｄが上部に形成されると共に、隣接する他板に対する一及び他のホゾ連結構造１１ｔ、１１ｍが一および他側部にそれぞれ形成された蓋板１と、
蓋板１の下部にて所定間隔を空けて固定された複数本の直線状の支持角棒２と、
前記複数本の支持角棒２の所定間隔内に填塞して固定された、断熱機能を有する填塞板３と、
支持角棒２の下部に固定され、支持角棒２及び填塞板を含むパネル全体の下部を覆う底板４とが連結構成されてなり、
前記蓋板１は、それぞれの両側部中央高さにホゾ連結構造１０ｔ、１０ｍを有した無垢材からなる複数枚の蓋構成材１０が、平面視横方向に互いにホゾ連結されると共にそれぞれ支持角棒２へ固定されてなり、
前記底板４は、前記蓋構成材１０よりも薄い厚さの無垢材からなる複数の底構成材４０が、蓋構成材１０と同じ平面視横方向に互いに突合せて並設されると共にそれぞれ支持角棒２へ固定されてなることを特徴とする床暖房用無垢床材支持パネル。
【請求項２】
床下を走る複数の大引材Ｏに跨乗して複数枚が敷設され、上部に木質床材Ｆを加温するための加温シートＳを挟んで木質床材Ｆが敷設されることで、木質床材Ｆを裏側から加温可能に支持しうる床暖房用無垢床材支持パネルであって、
加温シートＳを上面に枠持しうると共に、隣接する他板に対する一及び他のホゾ連結構造１ｔ、１ｍが一および他側部にそれぞれ形成された蓋板１と、
蓋板１の下部にて所定間隔を空けて固定された複数本の直線状の支持角棒２と、
前記複数本の支持角棒２の所定間隔内に填塞して固定された、断熱機能を有する填塞板３と、
支持角棒及び填塞板の下部を纏めて覆う底板４とが連結構成されてなり、
前記蓋板１は、それぞれの両側部中央高さにホゾ連結構造１０ｔ、１０ｍを有した無垢材からなる複数枚の蓋構成材１０が、平面視横方向に互いにホゾ連結されると共にそれぞれ支持角棒２へ固定されてなり、
前記底板４は、前記蓋構成材１０よりも薄い厚さの無垢材からなる複数の底構成材４０が、蓋構成材１０と同じ平面視横方向に互いに突合せて並設されると共にそれぞれ支持角棒２へ固定されてなることを特徴とする床暖房用無垢床材支持パネル。
【請求項３】
蓋構成材１０および底構成材４０が共に、木目に沿う縦方向を長手方向として板目製材された板目板であり、
蓋板１は、いずれも板目板の表面側をパネルの上面とした上向きの蓋構成材１０のみで構成され、
底板４は、いずれも板目板の表面側をパネルの下面とした下向きの底構成材４０のみで構成される請求項１又は２記載の床暖房用無垢床材支持パネル。
【請求項４】
両側端に形成された一及び他のホゾ連結構造１ｔ、１ｍと、蓋構成板１０のホゾ連結構造１０ｔ、１０ｍとが、それぞれ同一形状であると共に、いずれもパネル全体の上部三分の一より上方の共通高さに形成される請求項１、２または３のいずれか記載の床暖房用無垢床材支持パネル。
【請求項５】
支持角棒２は、パネルの平面視周囲に沿って枠組みされた枠材２１と、支持枠材２１の内側同士を縦または横方向に横断固定された横断材２２とから構成されると共に、填塞板３は、前記枠材２１及び横断材２２の各側面間で構成される複数の填塞空間内にそれぞれ、所定の填塞隙間を有して嵌め込まれる請求項１ないし４のいずれか記載の床暖房用無垢床材支持パネル。
【請求項６】
請求項１ないし５のいずれか記載の床暖房用無垢床材支持パネルを床下を走る複数の大引材Ｏに跨乗して隙間無く敷き詰めた上に、蓋構成板と交差する平面視縦方向に溝嵌合連結させた無垢床材を敷設形成してなる床暖房システム。
【考案の詳細な説明】
【技術分野】
【０００１】
本考案は、大引材上に構成される木質の無垢床材を床下から支持して床暖房機能を付加する床暖房用無垢床材支持パネル、及び、この床暖房用無垢床材支持パネルを複数枚含んでなり、大引材上に構成される床暖房システムに関する。
【背景技術】
【０００２】
大引材及び根太上に構成した置き床における二重床の床暖房システムとして、従来、大引きの上に床捨張材を直接固定し、その上に薄い床材を施工したものが開示される。この床捨張材は無垢床材からなることで根太材と断熱材を不要としている。また上面に暖房用パイプが納まる溝を施しており、現場の状況に対応した配管を行なうものとしている（例えば特許文献１参照）。
【０００３】
また従来の床暖房構造として、コンクリートスラブ等の床基盤上に支持脚を介して床下地パネルを敷き並べ、これら床下地亜ネル上に仕上材を設け、仕上材と床下地パネルとの間に温水パネルを配設し、さらに床下地パネルは板材である２枚のパーティクルボードの間にプラスチック発泡体からなる断熱材を貼り合わせて積層一体化し、この上の板材に温水パイプ配設用の溝を設けたものが知られている（例えば特許文献２参照）。これは隣り合って敷き並べられた床下地パネルを共通の受板の一隅部分で支承し、この受板の中心部を、下端にクッションゴムが設けられた支持脚によってコンクリートスラブ上で水平支持するものとしている。
【特許文献１】特開２００２−２５００１７号公報
【特許文献２】特開２００１−３２３４６８号公報
【考案の開示】
【考案が解決しようとする課題】
【０００４】
しかしながら前者の床捨張材は全て単一の無垢材からなるため高価であり、また根太材と断熱材が不要であると謳われるものの、無垢材料によっては大きな伸縮量による反りの発生を抑えることができず、さらに断熱性能にも限界があった。
【０００５】
また後者の床下地パネルにおける上下の板材、断熱材は多層構造によって所定の断熱性を確保しうるものの、各構成材はそれぞれパネル大の一体製材からなるため、伸縮量の相違によって反りが発生したり、或いは層間分離する場合がある。特に前者のように大引き材の上に直接載置する場合には、載置部分とそれ以外の部分で透湿性或いは熱伝達性が変わり、パネル間の隙間の部分で反りや層間分離が強調されてしまうこととなる。
【０００６】
そこで本考案は、大引き材の上に直接載置する床暖房用無垢床材支持パネルにおいて、比較的安価であり、断熱性能に優れるものでありながら、材料伸縮による反りの発生や層間分離の発生を抑制しうるものを提供することを課題とする。
【課題を解決するための手段】
【０００７】
上記課題を解決すべく（１）ないし（６）の手段を講じている。
（１）本考案の床暖房用無垢床材支持パネルは、
床下を走る複数の大引材Ｏに跨乗して複数枚が敷設され、上部に木質床材Ｆを加温するための加温管Ｔが埋め込まれてその上に木質床材Ｆが敷設されることで、木質床材Ｆを裏側から加温可能に支持しうる床暖房用無垢床材支持パネルであって、
加温管Ｔを埋め込みうる所定パターンの管溝１ｄが上部に形成されると共に、隣接する他板に対する一及び他のホゾ連結構造１ｔ、１ｍが一および他側部にそれぞれ形成された蓋板１と、
蓋板１の下部にて所定間隔を空けて固定された複数本の直線状の支持角棒２と、
前記複数本の支持角棒２の所定間隔内に填塞して固定された、断熱機能を有する填塞板３と、
支持角棒の下部に固定され、支持角棒２及び填塞板を含むパネル全体の下部を覆う底板４とが連結構成されてなり、
前記蓋板１は、それぞれの両側部中央高さにホゾ連結構造１０ｔ、１０ｍを有した無垢材からなる複数枚の蓋構成材１０が、平面視横方向に互いにホゾ連結されると共にそれぞれ支持角棒２へ固定されてなり、
前記底板４は、前記蓋構成材１０よりも薄い厚さの無垢材からなる複数の底構成材４０が、蓋構成材１０と同じ平面視横方向に互いに突合せて並設されると共にそれぞれ支持角棒２へ固定されてなることを特徴とする。
【０００８】
（２）あるいは本考案の床暖房用無垢床材支持パネルは、床下を走る複数の大引材Ｏに跨乗して複数枚が敷設され、上部に木質床材Ｆを加温するための加温シートＳを挟んで木質床材Ｆが敷設されることで、木質床材Ｆを裏側から加温可能に支持しうる床暖房用無垢床材支持パネルであって、
加温シートＳを上面に枠持しうると共に、隣接する他板に対する一及び他のホゾ連結構造１ｔ、１ｍが一および他側部にそれぞれ形成された蓋板１と、
蓋板１の下部にて所定間隔を空けて固定された複数本の支持角棒２と、
前記複数本の支持角棒２の所定間隔内に填塞して固定された、断熱機能を有する填塞板３と、
支持角棒及び填塞板の下部を纏めて覆う底板４とが連結構成されてなり、
前記蓋板１は、それぞれの両側部中央高さにホゾ連結構造１０ｔ、１０ｍを有した無垢材からなる複数枚の蓋構成材１０が、平面視横方向に互いにホゾ連結されると共にそれぞれ支持角棒２へ固定されてなり、
前記底板４は、前記蓋構成材１０よりも薄い厚さの無垢材からなる複数の底構成材４０が、蓋構成材１０と同じ平面視横方向に互いに突合せて並設されると共にそれぞれ支持角棒２へ固定されてなることを特徴とする。
【０００９】
上記（１）や（２）のように、多数の蓋構成材１０同士を蓋構成材１０高さ中央位置でホゾ連結することで、連結された蓋構成材１０同士の連結側面同士の一部に僅かな隙間が生じた場合でも、連結状態を維持することができる。また各蓋構成材１０には支持角棒２が下部連結されるため、蓋構成材１０の歪変形自体が支持角棒に制限される。ここで支持角棒２に蓋構成材１０による歪変形外力が加わっても、底構成材４０との外力均衡によって支持角棒２自体が変形することは無く、支持角棒２は真っ直ぐの状態を保つことができる。
【００１０】
すなわち支持角棒２に、蓋構成材１０による歪変形外力が加わるときに、突合せた複数の底構成材４０が下部連結されており、この底構成材４０は蓋構成材１０よりも大きな歪変形が生じる。そして、支持角棒２上部に支持角棒２下部に、底構成材４０によるより大きな歪変形量の外力が分散的に加わる。これによって蓋構成材１０による上部外力が底構成材４０による下部外力に打ち消され、支持角棒２にかかる外力が均衡される。その結果、少なくとも蓋構成材１０の歪の影響を抑制し、パネル全体で上面の反りや変形を生じることがなく、ある程度の温度・湿度の変化に拘わらずパネル全体の形状をひずみ無く保持することができる。
【００１１】
これにより、湿度・温度変化によって生じた蓋構成材１０のそりや歪の一部が吸収され、連結方向全体で、蓋板１の歪や反りがパネル幅全体で大きく表れることがない。
【００１２】
特に隣り合う蓋構成材１０同士は接着剤により接着されずにホゾ連結結合され、また隣り合う底構成材４０同士は接着剤により接着されずに接触状態で非結合のまま並設されることが好ましい。底構成材４０が突合せによって併設されており、互いに連結されていないため、底構成材４０の歪変形による外力がパネルの両端で累積されることが無く、各底構成材４０の変形による外力が分散されてかかる。
【００１３】
また、複数の蓋構成材からなる上層と複数の底構成材からなる下層とに挟まれた中間層には、一体的板材の填塞板が填塞されており、この三層構造が前記のようにパネル全体の形状をひずみ無く保持されることで、温度・湿度の変化にかかわらず確実な断熱機能を果たす。特に加温管Ｔによりパネルが高温になったときは下層の各底構成材４０は膨張し、隣り合う底構成材４０への突合せ力が増して、パネル下側への放熱をより確実に遮断するものとなる。一方、パネルが比較的低温となったときや乾燥したときは、下層の各底構成材４０は収縮し、隣り合う底構成材４０への突合せ力が減少して部分的に隙間が生じ、パネル下側から通気して熱をある程度取り込むことができる。これは、大引き材Ｏに跨上して敷設連結する床暖房用無垢床材支持パネルの床暖房システムにおける特徴的な機構であり、パネル下面の底構成材がそれぞれ反り返って分離しても、パネル全体が大引き材Ｏに跨上固定され、かつパネル同士が高さ方向上部でホゾ連結しているため、パネルが浮き上がったりすることなく、床全体で内応力の均衡を保ち続けることができる。
【００１４】
（３）上記いずれか記載の床暖房用無垢床材支持パネルにおいて、蓋構成材１０および底構成材４０が共に、木目に沿う縦方向を長手方向として板目製材された板目板であり、
蓋板１は、いずれも板目板の表面側をパネルの上面とした上向きの蓋構成材１０のみで構成され、
底板４は、いずれも板目板の表面側をパネルの下面とした下向きの底構成材４０のみで構成されることが好ましい。
【００１５】
板目板は、温度・湿度条件変化の繰り返しや経年によって表面側を凹面としてその両端部から反り返る。よって上記のように、複数の蓋構成材１０の板目板同士を全て同方向に構成し、かつ複数の底構成材４０の板目板同士を全て前記蓋構成材１０と反対方向である同方向に構成すると、蓋板１はパネル全体に連結された蓋構成材の幅方向両端がパネル表面側へ反り返るように変形し、底板４はパネル全体に並設された底構成材４０の幅方向両端それぞれがパネル裏面側へ反り返るように変形する（図３参照）。つまり表面層の蓋構成材１０と裏面層の底構成材４０とが相反方向へ反り変形するのであるが、このとき、蓋構成材１０よりも薄い底構成材４０のほうがより大きく反り変形する。ここで蓋構成材１０と底構成材４０は支持角棒２を挟んで固定されることから、蓋構成材の反り変形量は底構成材のより大きな反り変形によって相殺される。
【００１６】
特に図２、図３のように、蓋構成材１０と底構成材４０とは同幅且つ平面視同位置に重なって互いに固定されることが好ましい。これにより、反り変形の生じる箇所が上下各構成材で一致する（図３）ため、蓋構成材の反り変形が常に下方の平面視同位置で抑制され、蓋構成材１０の変形を抑え、パネル全体でも蓋板１の変形を抑えるものとなっている。
【００１７】
なお加温管Ｔが埋め込まれるパネルにおいては、図１ないし図４に示すように、頭蓋構成材１０それぞれの上面の幅方向中央位置に、木目の縦方向に沿って管溝１ｄが形成されることが好ましい。幅方向中央位置に一本ずつ加温管Ｔが埋設されることで、加温管Ｔによる熱変形が各蓋構成材１０で左右対称となり、また連結した蓋構成材１０間で変形量が均衡する（図３参照）。このため、変形量の偏りが生じることがなく、パネル全体、或いは複数のパネルを組み合わせたシステム全体で偏った歪が生じにくいものとなる。
【００１８】
（４）上記いずれか記載の床暖房用無垢床材支持パネルにおいて、両側端に形成された一及び他のホゾ連結構造１ｔ、１ｍと、蓋構成材１０のホゾ連結構造１０ｔ、１０ｍとが、それぞれ同一形状であると共に、いずれもパネル全体の上部三分の一より上方の共通高さに形成されることが好ましい。ホゾ連結構造がパネル全体の厚さのうち上部３分の一よりも上方であると、ホゾ連結部よりも下方である残り三分の二厚さの部分が、蓋材１全体を下方から強固に枠持し、これにより蓋構成材１０の反り変形を抑制するものとなる。
【００１９】
（５）上記いずれか記載の床暖房用無垢床材支持パネルにおいて、支持角棒２は、パネルの平面視周囲に沿って枠組みされた枠材２１と、枠材２１の内側同士を縦または横方向に横断固定された横断材２２とから構成されると共に、
填塞板３は、前記枠材２１及び横断材２２の各側面間で構成される複数の填塞空間内にそれぞれ、所定の填塞隙間を有して嵌め込まれることが好ましい。
【００２０】
上記のように、填塞板３が填塞空間よりも一回り小さく成形され、填塞隙間を有して嵌め込まれることで、パネルの歪変形に関して填塞板３による影響を無くし、蓋構成材や支持角棒や底構成材といった他のパネル構成材が変形の均衡を保ったまま、填塞板３による断熱機能を維持することができる。また填塞隙間によって填塞板周囲に空気層を取り込むことで、より優れた断熱機能を果たしうる。
【００２１】
（６）そして本考案の床暖房システムは、前記いずれか記載の床暖房用無垢床材支持パネルを、大引き材Ｏに跨上して平面視縦及び横方向へ隙間無く敷き詰め、その上に、蓋構成材と交差する平面視縦方向に溝嵌合連結させた無垢床材を敷設形成してなる。
【００２２】
詳述すれば、本考案の床暖房システムは、
・床下を走る複数の大引材Ｏに跨乗して複数枚が隙間無く敷設された前記いずれか記載の床暖房用無垢床材支持パネルＰと、
・これら床暖房用無垢床材支持パネルＰの管溝１ｄまたは枠溝１ｄ内に埋め込まれ、複数枚のパネル上面を横断して敷設された加温管Ｔ又は加温シートＳと、
・加温管Ｔが埋め込まれた床暖房用無垢床材支持パネルPの上に敷設形成した木質床材Ｆとを具備してなり、
木質床材Ｆは、それぞれの両側部中央高さに連結構造Ｆｔ、Ｆｍを有した無垢材からなる複数枚の床構成材Ｆ０同士が、蓋構成材１０の連結方向と交差する平面視縦方向にホゾ連結されたものである。
【考案の効果】
【００２３】
上記の手段を講じることで、本考案は大引き材の上に直接載置する床暖房用無垢床材支持パネル、ないしはこれを供えた床暖房システムにおいて、比較的安価であり、断熱性能に優れるものでありながら、材料伸縮による反りの発生や層間分離の発生を抑制しうるものを提供することができる。
【考案を実施するための最良の形態】
【００２４】
以下、本考案を実施するための最良の形態を実施例として示す各図とともに説明する。まず図１ないし図５は実施例１の床暖房用無垢床材支持パネルを示す。具体的には図１は実施例１の床暖房用無垢床材支持パネルの設置状態を示す一部破断斜視図であり、図２はそのパネルのみの断面図（図４のＡ−Ａ線断面図）であり、図３は反り変形した状態のパネルの一端部の拡大断面図であり、図４はパネルの一部破断平面図であり、そして図５は実施例１のパネル及びこれに準じた形態のパネルを組み合わせて部屋全体に敷き詰めた床暖房システムの施工状態を示す平面説明図である。次に図６は各蓋構成材１０ごとに二本ずつの管溝１ｄが形成された実施例２の床暖房用無垢床材支持パネルの一部破断斜視図を示す。そして図７は、管溝１ｄが形成されず、代わりに上面に加温シートＳを枠持しうる実施例３の床暖房用無垢床材支持パネルの設置状態の部分断面図を示す。
【００２５】
本考案の床暖房用無垢床材支持パネルは、無垢の木質床材Ｆ（例えばフローリング床）の床下を走る複数の大引材Ｏに跨って複数枚がホゾ連結によって隙間無く連結されて敷設されるとともに、上面に埋めこんだ加温手段（例えば加温管Ｔまたは加温シートＳ）によって床材を温度調節可能に支持しうるものである。その構成として、
・木質床材Ｆを下面から加温しうる加温手段を組み込むための構造が上部に設けられると共に、隣接する他板へ連結するためのホゾ連結構造（具体的には連結可能なホゾ突起１ｔとホゾ溝１ｍから構成される。）を両側部に有した蓋板１と、
・蓋板１の下部にて所定間隔を空けて固定された複数本の支持角棒２と、
・前記支持角棒間の所定間隔内に填塞して固定された、断熱機能を有する填塞板３と、
・支持角棒及び填塞板の下部を覆う底板とから構成されてなる。以下、各構成につき詳述する。
【００２６】
（蓋板１）
蓋板１は、パネルの一体的多層構造の上層部を構成するものであって、それ自体の上部に加温手段を組み込むための構造を有し、また、それ自体の両側部に、隣接する他のパネルへ連結するための嵌合構造を有する。
加温手段を組み込むための構造とは、加温手段がポリブデン温水管等の加温管Ｔ（図５）の場合には、これを埋め込むために上面に穿設された管溝１ｄを言い、加温手段がアルミ製電気シート等の加温シートＳ（図７）の場合には、これを上面に枠持するために設けられた枠持空間を言う。
【００２７】
蓋板１の構成は、一体製材された一枚板からなるものではなく、それぞれの両側部中央高さに連結構造１０ｔ、１０ｍを有した厚手の無垢木質板からなる複数枚の蓋構成材１０同士が、平面視横方向に互いにホゾ連結結合された結合板からなる。この蓋構成材１０は、木目に沿う縦方向を長手方向として板目製材された厚手の板目板であり、杉、檜等が採用される。この板目板の蓋構成材１０は、いずれも表面側をパネルの上面として上向きに並設される（図１）。
【００２８】
（ホゾ連結構造及び連結ビス固定構造）
パネルの一側端及び他側端に位置する両端枚の蓋構成材１０にはそれぞれ、隣り合う他のパネルにホゾ連結するための一及び他のホゾ連結構造１ｔ、１ｍが形成される。また両端枚以外すなわち中央部分にある複数枚の蓋構成材１０の一側部及び他側部には、それぞれ、隣り合う蓋構成材１０にホゾ連結するためのホゾ連結構造１０ｔ及び１０ｍが形成される。一及び他のホゾ連結構造１ｔ、１ｍとは具体的には、角柱状のホゾ凸条およびこのホゾ凸条が嵌合しうるホゾ溝からなる。この一及び他のホゾ連結構造１ｔ、１ｍと、蓋構成材１０のホゾ連結構造１０ｔ、１０ｍとは、それぞれ同一形状であり、いずれも蓋構成材１０の高さ方向中央の共通高さに形成される。共通した蓋構成材１０の中央高さでホゾ連結されることで、蓋構成材１０が反ったときの蓋縮み幅１０ｔｌ、蓋反り幅１０ｗｐといった歪変形量は、ホゾ連結高さを基準として生じることとなる（図３）。
【００２９】
加えて蓋構成材１０が沿ったときに、隣り合う蓋構成材１０間では上部付近に蓋隙間部１０ｇが生じるものの、中央高さ付近でホゾ連結した構成であると、蓋隙間部１０ｇが上部付近で発生する際に、隣り合う蓋構成材１０間の下部付近同士が当接して押し合うこととなり、発生する蓋隙間部１０ｇの大きさが制限される（図３）。
【００３０】
また互いにホゾ連結された蓋構成材１０は、下方から固定ビス５が貫通螺合することで、下側の支持角棒２や填塞板３と、厚さ方向にも連結される（図２ないし図４）。特に実施例１のように、板目板の各蓋構成材１０の表面側を上向きとして設置し、この上向きの蓋構成材１０の両端付近を固定ビス５で一体層化することで、固定ビス５が上方への反りを抑制し、前記蓋縮み幅１０ｔｌ、蓋反り幅１０ｗｐといった発生する歪変形量が小さなものとなる（図３）。
【００３１】
これらホゾ連結構造１ｔ、１ｍ、１０ｔ、１０ｍは、いずれもパネル全体厚さの半分よりも高い位置、さらにいうと、上部三分の一より上方の共通高さに形成されることが好ましい（図２）。ホゾ連結構造１ｔ、１ｍ、１０ｔ、１０ｍがパネル全体の厚さのうち上部３分の一よりも上方であると、ホゾ連結の部分よりも下方にある残り三分の二厚さの部分が、より重量の大きな土台部分となり、この部分の静的剛性によっても、蓋板１の反り変形を抑制するものとなる。
【００３２】
（支持角棒２）
支持角棒２は、パネルの平面視周囲に沿って枠組みされた枠材２１と、枠材２１の内側同士を縦または横方向に横断固定された横断材２２とから構成される。支持角棒２は、枠材２１を枠組固定する枠連結ビス３３、並びに横断材２２を固定する枠連結ビス３３によって自立構成される。
【００３３】
横断材２２は、パネルの辺を等分する位置にて枠材２１に直交して固定され、枠材２１の大きさや床板１の厚さによって適宜設けられる。たとえば実施例１では平面視縦辺の中央同士を横断する横方向の横断材２１と、平面視横辺の中央同士を縦走して横断材２１上下でそれぞれ横断する縦方向の横断材２２とが設けられる（図４）。この支持角棒２によって、蓋板１や底板４の反り変形時にもそれ自体の静的剛性に基づくパネル形状の静的保持の主たる役割を果たす（図３）。支持角棒２の長さ方向に沿って、パネルの各層を連結する連結ビスが所定の間隔ごとに打ち込まれ、枠材２１と横断材２２とによって、填塞板をはめ込むための填塞空間が形成される（図４）。
【００３４】
（填塞板３）
填塞板３は、前記複数本の支持角棒２の所定間隔内に填塞して固定され、断熱機能及び保温機能を有する木製の集成材である。填塞板３は、支持角棒２の枠材２１及び横断材２２の各側面間で構成される複数の填塞空間内にそれぞれ、所定の填塞隙間を有して嵌め込まれる。その平面形状及び厚さは支持角棒間の填塞空間よりも一回り小さく、平面形状及び厚さであり、予め所定の填塞隙間を有して蓋構成材１０群と底構成材４０群の間にはめ込まれた後、裏面から固定ビス５によって厚さ方向に貫通固定される（図４）。予め所定の填塞隙間が設けられることで、支持角棒や蓋板１、底板２の歪変形を妨げることの無いものとし、また填塞板３と支持角棒２との間に空気層を介在させて断熱効果を高めるものとしている。断熱性材料として種々のものが使用されるが、プラスチック発泡体、硬質グラスウール、硬質ロックウールを用いずに、天然木を集成したインシュレーションボードを使用することが好ましい。
【００３５】
（底板４）
底板４は、支持角棒２及び填塞板３の下部を纏めてパネル全体を覆う。蓋板１と同様、一体製材された一枚板からなるものではなく、前記蓋構成材１０と同一平面形状でかつ蓋構成材１０よりも薄い厚さの複数枚の底構成材４０が、蓋構成材１０と同じ平面視横方向に、密着するように互いに突き合せて並設される。この底構成材４０は、木目に沿う縦方向を長手方向として板目製材された、蓋構成材１０よりも薄手の板目板である。パネル全体の変形量のバランスの均衡の調整を容易にすべく、杉、檜等、蓋構成材１０と同一製材が採用されることが好ましい。この板目板の底構成材４０は、いずれも表面側をパネルの下面として下向きに並設される（図１）。
【００３６】
複数の底構成材４０同士は、厚さ方向に貫通する固定ビス５によって上層側の支持角棒２または填塞板３へのみ固定される。隣り合う底構成材は連結されること無く、突き合せによって密着した状態で、互いに分離したまま並設される。この上面側への層化固定と分離並設とによって、底構成材４０が反ったときの底縮み幅４０ｔｌや底反り幅４０ｗｐは、底板の上面を基準として発生する。ここで底構成材４０は蓋構成材１０よりも薄い無垢の木質板目板からなるため、底構成材４０は蓋構成材１０の変形量よりも大きな変形量を有することとなる（図３）。すなわち図３において、底縮み幅４０ｔｌや底反り幅４０ｗｐは、蓋縮み幅１０ｔｌや蓋反り幅１０ｗｐよりもそれぞれ大きく、したがって上層の蓋構成材１０の変形による内部モーメントよりも、下層の底構成材４０の変形による内部モーメントの方が大きなものとなる（図３の矢印参照）。
【００３７】
さらに下層の底構成材４０は互いに分離しているため、上層側への反力は各底構成材４０ごとに分散して生じる。このことから、各底構成材４０毎の変形ない応力は比較的大きいものの、パネル全体における底構成材４０の幅方向位置によって内応力が累積することは無く、複数の底構成材４０同士は略均等な内応力を発生することとなる。このため、下向きの板目板からなる底構成材４０の反り応力によって、パネル全体が下方へ反り変形することはない。
【００３８】
（各構成同士の固定）
パネルの製造における固定は、支持角棒２を枠連結する枠連結ビス２３と、上層、中層及び下層を裏面から層固定する固定ビス５によってのみ行われる。具体的には枠連結ビス２３は図４に示すように、パネル各辺の四隅において枠材２１同士をパネル側面方向から略水平に打ちつけて使用され、またパネル各辺中央において枠材２１と横断材２２とをパネル側面方向から打ちつけて使用される。また固定ビス５は図２及び図４に示すように、平面視同位置に重ねられた蓋構成板１０と底構成板４０の両端付近の対称位置に一対筒、パネル裏面方向から表面に向かって略垂直に打ち付けて使用される。
【００３９】
また床暖房システムの施工におけるパネルの大引き材Ｏへの固定は、パネルの上面から固定釘を打ち込むことによって行なわれる（図示せず）。パネル同士はホゾ連結構造によってのみ連結し、ビス等の固定具や接着剤を使用しない。
これらは全てビス或いは釘固定のみからなる。パネルの製造段階においても、また床暖房システムの施工段階でのパネル同士の連結工程、大引き材Ｏへの跨上工程のいずれにおいても、接着剤を使用しないため、合成材による接着機能の劣化、臭いの発生を防ぐことができる。また歪変形にもパネルの内応力の均衡によって自動的に対応することができる。
【実施例１】
【００４０】
実施例１の床暖房システム（図１、図５）における床暖房用無垢床材支持パネル（図２ないし図４）は、１０枚の蓋構成材１０と１０枚の同幅の底構成材４０とが、支持角棒２と填塞板３を挟んで一体的なパネルとして構成される。各蓋構成材１０それぞれは、上面幅中央位置にて一本の矩形断面の管溝１ｄが、板の長手方向に沿って同一深さに穿設され、ここに加温管Ｔが埋設される。
【００４１】
幅方向中央に１本ずつ加温管Ｔが埋設されるため、加温管Ｔによる温度影響が蓋構成材１０の幅方向中央部を中心として両側方へ均等に生じる。このため蓋構成材の両端付近のひずみを極力抑制するものとなっている。
【００４２】
加温管Ｔは、往路管Ｔ１および復路管Ｔ２が隣り合ったまま並走配管され、長さ方向の端（図４、図５の上下端辺）では２枚の蓋構成材をおいて三枚隣の蓋構成材につながって逆方向に方向転換する（図５）。例えば、長さ方向端部では、一枚目の往路管Ｔ１はベンド部で大きく湾曲して四枚目の蓋構成材１０の往路管Ｔ１の管溝１ｄ内に配置されると共に、三枚目の復路管Ｔ２はベンド部で比較的小さく湾曲して二枚目の蓋構成材１０の復路管Ｔ２の管溝１ｄ内に配置される（図４、図５）。
【００４３】
（本発明の実施例１の床暖房システム）
複数枚の実施例１のパネルにおいて管溝１ｄの異なる複数種類のパターン用意し、この複数種類のパネルを組み合わせて部屋全体の大引材Ｏ上を跨ぐように敷き詰め、管溝１ｄに加温管Ｔを埋め込んで往復配管し、温水器Ｈと繋ぐことで本発明の実施例１の床暖房システムが構成される（図５）。
【００４４】
具体的には、実施例１の床暖房システムの構成は図５に示すように、平面視にて左側辺上部及び下辺全体を加温管Ｔの隣接連絡口とする第一のパネル１Ａと、右側辺上部および下辺全体を加温管Ｔの隣接連絡口とする第二のパネル１Ｂと、上辺全体のみを隣接連絡口とする第三のパネル１Ｃと、上辺全体のみを隣接連絡口とすると共に往復の加温管Ｔを共に連絡孔６内に収納して一の隅部分に配置される第四のパネル１Ｄと、そして上下辺全体をそれぞれ隣接連絡口とする第五のパネル１Ｄとを、互いに縦及び横方向に、且つ必要に応じて向きを変えながら組み合わせて連結敷設する。
なお隣接連絡口とは、隣接パネルへ加温管が繋がるための連絡口を言い、隣接するパネルで隣接連絡口同士が同位置に当接することで、その部分の管溝１ｄ内を通って加温管Ｔが隣接パネルを跨ぐように配管される。
【００４５】
これら本発明の実施例１の第一ないし第五のパネル１Ａ〜１Ｅを加温領域内に敷設したとき、図５の左側辺付近のように、床暖房を行なわない不要領域が生じた場合には、管溝１ｄを有さずにホゾ溝およびホゾ凸条を両側辺にそれぞれ有したホゾ連結板Ｆ２を用意し、このホゾ連結板Ｆ２を図５に示すようにホゾ連結によって組み合わせる。また部屋の両端辺部分においても、ホゾ溝或いはホゾ凸条のいずれかを有したホゾ連結棒Ｆ１を用意し、このホゾ連結棒Ｆ１で端にあるパネルとホゾ連結させることで、加温領域側部の納まりを得る。
【００４６】
本発明のパネルを隙間無く敷き詰めることで、床の盛り上がりが生じない。これは、同等の収縮率である木質床材と蓋板とがそれぞれ複数の構成板によってホゾ連結され、しかもそれぞれでホゾ連結方向が直交するものであり、さらに蓋構成材の短辺方向に沿って横引き材２１を等間隔に沿わせ、さらにその裏側に複数の構成材からなる底板を固定ビス５によって厚さ方向に固定したことによる。
【００４７】
なお、第四のパネル１Ｄにおける連絡孔６は、往復２本の加温管Ｔがパネル厚さ方向に貫通し、その後に温水器Ｔまで配管を繋ぐための連絡用のパネル貫通孔である。管溝１ｄ内に埋設配管されていた往路管Ｔ１および復路管Ｔ２は共にこの連絡孔６から下方に屈曲し、その後温水器Ｈにまで配管される。なお温水器Ｈには温度ないし電源調節のためのコントローラーＣＴが電気配線される。
【実施例２】
【００４８】
実施例２の床暖房用無垢床材支持パネルは、図６の一部破断斜視図に示すように各蓋構成材１０ごとに二本ずつの管溝１ｄが形成される。蓋構成材１０の長さ方向に沿って対称に往復１本ずつ合計２本の加温管Ｔが埋め込まれるため、往路の加温管と復路の加温管に温度差が生じる場合でも各蓋構成材１０同士の変形量を均一に保つことができる。また実施例１の枠材２１は四隅に位置する端部が斜めに切断され、縦方向枠材と横方向枠材の切断面同士が当接して枠形成され、枠材端部がパネル外部に露出しない。縦方向枠材と横方向枠材が互いに当接し、４本の棒状の枠材のみで伸縮による力の均衡がとれるため、平面形状の変形を抑制することができる。なおこのような枠材の構成は、実施例１の床暖房用無垢床材支持パネルに採用することもできる。その他の特記しない構成は実施例１と同様である。
【実施例３】
【００４９】
実施例３の床暖房用無垢床材支持パネルは、実施例１のパネルにおいて管溝１ｄが形成されず、代わりに上面に加温シートＳを枠持しうる枠持面を上面に有したものであり、図７にその設置状態の部分断面図を示す。
【００５０】
すなわち実施例３の床暖房用無垢床材支持パネルは、床下を走る複数の大引材Ｏに跨乗して複数枚が敷設され、上部に木質床材Ｆを加温するための加温シートＳを挟んで木質床材Ｆが敷設されることで、木質床材Ｆを裏側から加温可能に支持しうる床暖房用無垢床材支持パネルである。そして、
加温シートＳを上面に枠持しうると共に、隣接する他板に対する一及び他のホゾ連結構造１ｔ、１ｍが一および他側部にそれぞれ形成された蓋板１と、
蓋板１の下部にて所定間隔を空けて固定された複数本の支持角棒２と、
前記複数本の支持角棒２の所定間隔内に填塞して固定された、断熱機能を有する填塞板３と、
支持角棒及び填塞板の下部を纏めて覆う底板４とが連結構成されてなる。
また前記蓋板１は、それぞれの両側部中央高さにホゾ連結構造１０ｔ、１０ｍを有した無垢材からなる複数枚の蓋構成材１０が、平面視横方向に互いにホゾ連結されると共にそれぞれ支持角棒２へ固定されてなり、
前記底板４は、前記蓋構成材１０よりも薄い厚さの無垢材からなる複数の底構成材４０が、蓋構成材１０と同じ平面視横方向に互いに突合せて並設されると共にそれぞれ支持角棒２へ固定されてなる。
その他の特記しない構成は実施例１と同様である。また実施例３のパネルを使用した床暖房システムは、実施例１の床暖房システムにおいて管溝１ｄ及び温水器がなくなり、加温管Ｔの往復配管のかわりに加温シートＳが無垢床材Ｆとパネルとの間に全面敷設される。また実施例１の床暖房システムの第一ないし第四のパネルのように、管溝１ｄの形態によって異なるパネルを使用する必要が無く、管溝１ｄの形成も不要であるため、パネル加工及び床暖房システムの施工が容易である。
【００５１】
その他、本考案は上述した実施例に限定されること無く、本発明の趣旨を逸脱しない範囲で種々の変形、変更、抽出が可能である。例えば蓋構成材１０、枠材２、填塞板３、及び底構成材４０といった各構成の、実施例１ないし３間での組み合わせの変更や、それぞれの要素の抽出、歪変形対策技術の抽出が可能である。要素を抽出したものとして例えば、一枚ずつの蓋構成材１０の上層と底構成材４０の下層及びその中間層を埋める填塞板３を組み合わせたパネル形状ではない床支持材が挙げられる。
【図面の簡単な説明】
【００５２】
【図１】実施例１の床暖房用無垢床材支持パネルの設置状態を示す一部破断斜視図。
【図２】実施例１の床暖房用無垢床材支持パネルにおける図４のＡ−Ａ線断面構造説明図。
【図３】実施例１の床暖房用無垢床材支持パネルが反り変形した状態のパネルの一端部の拡大断面図。
【図４】実施例１の床暖房用無垢床材支持パネルの一部破断平面図。
【図５】実施例１の床暖房システムの施工状態を示す平面説明図。
【図６】実施例２の床暖房用無垢床材支持パネルの一部破断斜視図。
【図７】実施例３の床暖房用無垢床材支持パネルの設置状態の部分断面図。
【符号の説明】
【００５３】
１ｄ  管溝
１ｔ、１ｍ  一及び他のホゾ連結構造
１０  蓋構成材
１０ｇ  蓋隙間部
１０ｔ、１０ｍ  一及び他のホゾ連結構造
１０ｔｌ  蓋縮み幅
１０ｗｐ  蓋反り幅
２  支持角棒
２１  枠材
２２  横断材
２３  枠連結ビス
３  填塞板
４０  底構成材
４０ｅ  底ズレ部
４０ｔｌ  底縮み幅
４０ｗｐ  底反り幅
５  固定ビス
６  加温管連絡孔
Ｆ  木質床材
Ｏ  大引材
Ｐ  加温シート
Ｔ  加温管
【図１】
0003145645.tif 000003
【図２】
0003145645.tif 000004
【図３】
0003145645.tif 000005
【図４】
0003145645.tif 000006
【図５】
0003145645.tif 000007
【図６】
0003145645.tif 000008
【図７】
0003145645.tif 000009